(57)【要約】【課題】  複数の印刷装置のうち消費電力量が最も少ない印刷装置を自動的に選択して省エネ印刷を実行することができる省エネ印刷実行装置を提供する。【解決手段】  ホストコンピュータは、プリンタの消費電力量の情報である消費電力量情報をプリンタ毎に記憶する記憶部と、プリンタが印刷ジョブを実行するときのプリンタの総消費電力量をプリンタ毎に算出する制御部とを備えており、消費電力量情報は、プリンタの状態に応じた消費電力量の情報と、印刷ジョブの処理内容に応じた消費電力量の情報とを含んでおり、制御部は、プリンタの状態と、印刷ジョブの処理内容と、記憶部によって記憶されている消費電力量情報とに基づいて総消費電力量を算出し（Ｓ５２）、算出したプリンタ毎の総消費電力量に基づいて複数のプリンタのうち総消費電力量が最も少ないプリンタを選択し（Ｓ５３）、選択したプリンタに印刷ジョブを実行させる（Ｓ５４）ことを特徴とする。【選択図】  図５
2011129058.tif 000002
【特許請求の範囲】
【請求項１】
印刷装置の消費電力量の情報である消費電力量情報を前記印刷装置毎に記憶する消費電力量記憶手段と、前記印刷装置が印刷ジョブを実行するときの前記印刷装置の総消費電力量を前記印刷装置毎に算出する総消費電力量算出手段と、前記総消費電力量算出手段によって算出された前記印刷装置毎の前記総消費電力量に基づいて複数の前記印刷装置のうち前記総消費電力量が最も少ない印刷装置を選択する印刷装置選択手段と、前記印刷装置選択手段によって選択された前記印刷装置に前記印刷ジョブを実行させる印刷ジョブ実行手段とを備えており、
前記消費電力量情報は、前記印刷装置の状態に応じた消費電力量の情報と、前記印刷ジョブの処理内容に応じた消費電力量の情報とを含んでおり、
前記総消費電力量算出手段は、前記印刷装置の状態と、前記印刷ジョブの処理内容と、前記消費電力量記憶手段によって記憶されている前記消費電力量情報とに基づいて、前記総消費電力量を算出することを特徴とする省エネ印刷実行装置。
【請求項２】
前記印刷ジョブ実行手段によって前記印刷ジョブを実行させた前記印刷装置を利用者に通知する印刷装置通知手段を備えていることを特徴とする請求項１に記載の省エネ印刷実行装置。
【請求項３】
複数の印刷装置と、複数の前記印刷装置に接続された請求項１に記載の省エネ印刷実行装置とを備えており、
前記印刷装置は、前記省エネ印刷実行装置に前記印刷装置自身の状態を通知することを特徴とする省エネ印刷システム。
【請求項４】
印刷装置の消費電力量の情報である消費電力量情報を前記印刷装置毎に記憶する消費電力量記憶手段と、前記印刷装置が印刷ジョブを実行するときの前記印刷装置の総消費電力量を前記印刷装置毎に算出する総消費電力量算出手段と、前記総消費電力量算出手段によって算出された前記印刷装置毎の前記総消費電力量に基づいて複数の前記印刷装置のうち前記総消費電力量が最も少ない印刷装置を選択する印刷装置選択手段と、前記印刷装置選択手段によって選択された前記印刷装置に前記印刷ジョブを実行させる印刷ジョブ実行手段としてコンピュータを機能させるための省エネ印刷実行プログラムであって、
前記消費電力量情報は、前記印刷装置の状態に応じた消費電力量の情報と、前記印刷ジョブの処理内容に応じた消費電力量の情報とを含んでおり、
前記総消費電力量算出手段は、前記印刷装置の状態と、前記印刷ジョブの処理内容と、前記消費電力量記憶手段によって記憶されている前記消費電力量情報とに基づいて、前記総消費電力量を算出することを特徴とする省エネ印刷実行プログラム。
【発明の詳細な説明】
【技術分野】
【０００１】
本発明は、省エネ印刷を実行する省エネ印刷実行装置に関する。
【背景技術】
【０００２】
従来、複数のプリンタと接続されたクライアントであって、プリンタが印刷ジョブを実行するときのプリンタの消費電力量をプリンタ毎に算出して表示するものが知られている（例えば、特許文献１参照。）。クライアントの利用者は、クライアントによって表示されたプリンタ毎の消費電力量を見て、何れのプリンタで印刷ジョブを実行させるかを選択することができる。
【先行技術文献】
【特許文献】
【０００３】
【特許文献１】特開２００２−２９７７１５号公報
【発明の概要】
【発明が解決しようとする課題】
【０００４】
しかしながら、特許文献１に記載された技術においては、何れのプリンタで印刷ジョブを実行させるかを利用者が選択しなければならないので、利用者にとって煩わしいという問題がある。また、何れのプリンタで印刷ジョブを実行させるかを利用者が選択するので、消費電力量が最も少ないプリンタが選択されるとは限らないという問題もある。
【０００５】
そこで、本発明は、複数の印刷装置のうち消費電力量が最も少ない印刷装置を自動的に選択して省エネ印刷を実行することができる省エネ印刷実行装置を提供することを目的とする。
【課題を解決するための手段】
【０００６】
本発明の省エネ印刷実行装置は、印刷装置の消費電力量の情報である消費電力量情報を前記印刷装置毎に記憶する消費電力量記憶手段と、前記印刷装置が印刷ジョブを実行するときの前記印刷装置の総消費電力量を前記印刷装置毎に算出する総消費電力量算出手段と、前記総消費電力量算出手段によって算出された前記印刷装置毎の前記総消費電力量に基づいて複数の前記印刷装置のうち前記総消費電力量が最も少ない印刷装置を選択する印刷装置選択手段と、前記印刷装置選択手段によって選択された前記印刷装置に前記印刷ジョブを実行させる印刷ジョブ実行手段とを備えており、前記消費電力量情報は、前記印刷装置の状態に応じた消費電力量の情報と、前記印刷ジョブの処理内容に応じた消費電力量の情報とを含んでおり、前記総消費電力量算出手段は、前記印刷装置の状態と、前記印刷ジョブの処理内容と、前記消費電力量記憶手段によって記憶されている前記消費電力量情報とに基づいて、前記総消費電力量を算出することを特徴とする。
【０００７】
この構成により、本発明の省エネ印刷実行装置は、算出した印刷装置毎の総消費電力量に基づいて複数の印刷装置のうち総消費電力量が最も少ない印刷装置を選択し、選択した印刷装置に印刷ジョブを実行させるので、複数の印刷装置のうち消費電力量が最も少ない印刷装置を自動的に選択して省エネ印刷を実行することができる。
【０００８】
また、本発明の省エネ印刷実行装置は、前記印刷ジョブ実行手段によって前記印刷ジョブを実行させた前記印刷装置を利用者に通知する印刷装置通知手段を備えていることが好ましい。
【０００９】
本発明の省エネ印刷実行装置は、複数の印刷装置のうち消費電力量が最も少ない印刷装置を自動的に選択して省エネ印刷を実行するので、印刷ジョブを実行した結果である印刷物が何れの印刷装置で出力されるかを利用者に予想させ難い。しかしながら、本発明の省エネ印刷実行装置は、印刷ジョブを実行させた印刷装置を利用者に通知するので、印刷ジョブを実行した結果である印刷物を利用者に容易に発見させることができる。
【００１０】
本発明の省エネ印刷システムは、複数の印刷装置と、複数の前記印刷装置に接続された省エネ印刷実行装置とを備えており、前記印刷装置は、前記省エネ印刷実行装置に前記印刷装置自身の状態を通知することを特徴とする。
【００１１】
この構成により、本発明の省エネ印刷システムは、算出した印刷装置毎の総消費電力量に基づいて複数の印刷装置のうち総消費電力量が最も少ない印刷装置を選択し、選択した印刷装置に印刷ジョブを実行させるので、複数の印刷装置のうち消費電力量が最も少ない印刷装置を自動的に選択して省エネ印刷を実行することができる。
【００１２】
本発明の省エネ印刷実行プログラムは、印刷装置の消費電力量の情報である消費電力量情報を前記印刷装置毎に記憶する消費電力量記憶手段と、前記印刷装置が印刷ジョブを実行するときの前記印刷装置の総消費電力量を前記印刷装置毎に算出する総消費電力量算出手段と、前記総消費電力量算出手段によって算出された前記印刷装置毎の前記総消費電力量に基づいて複数の前記印刷装置のうち前記総消費電力量が最も少ない印刷装置を選択する印刷装置選択手段と、前記印刷装置選択手段によって選択された前記印刷装置に前記印刷ジョブを実行させる印刷ジョブ実行手段としてコンピュータを機能させるための省エネ印刷実行プログラムであって、前記消費電力量情報は、前記印刷装置の状態に応じた消費電力量の情報と、前記印刷ジョブの処理内容に応じた消費電力量の情報とを含んでおり、前記総消費電力量算出手段は、前記印刷装置の状態と、前記印刷ジョブの処理内容と、前記消費電力量記憶手段によって記憶されている前記消費電力量情報とに基づいて、前記総消費電力量を算出することを特徴とする。
【００１３】
この構成により、本発明の省エネ印刷実行プログラムを実行するコンピュータは、算出した印刷装置毎の総消費電力量に基づいて複数の印刷装置のうち総消費電力量が最も少ない印刷装置を選択し、選択した印刷装置に印刷ジョブを実行させるので、複数の印刷装置のうち消費電力量が最も少ない印刷装置を自動的に選択して省エネ印刷を実行することができる。
【発明の効果】
【００１４】
本発明の省エネ印刷実行装置は、複数の印刷装置のうち消費電力量が最も少ない印刷装置を自動的に選択して省エネ印刷を実行することができる。
【図面の簡単な説明】
【００１５】
【図１】本発明の一実施の形態に係る省エネ印刷システムのシステム構成を示すブロック図である。
【図２】図１に示すプリンタの構成を示すブロック図である。
【図３】図１に示すホストコンピュータの構成を示すブロック図である。
【図４】（ａ）は、図１に示すプリンタの状態に応じたプリンタのウォームアップまでの消費電力量の情報である消費電力量情報を示す図である。（ｂ）は、印刷ジョブの処理内容に応じた図１に示すプリンタの１枚あたりの印刷の消費電力量情報を示す図である。（ｃ）は、印刷ジョブの処理内容に応じた図１に示すプリンタの後処理の消費電力量情報を示す図である。
【図５】利用者から印刷データの印刷が指示されたときの図１に示すホストコンピュータの動作のフローチャートである。
【発明を実施するための形態】
【００１６】
以下、本発明の一実施の形態について、図面を用いて説明する。
【００１７】
まず、本実施の形態に係る省エネ印刷システムの構成について説明する。
【００１８】
図１は、本実施の形態に係る省エネ印刷システム１０のシステム構成を示すブロック図である。
【００１９】
図１に示すように、省エネ印刷システム１０は、本発明の印刷装置としての複数のプリンタ２０と、プリンタ２０に印刷させる印刷データをプリンタ２０に送信する本発明の省エネ印刷実行装置としてのホストコンピュータ３０とを備えている。プリンタ２０およびホストコンピュータ３０は、互いに通信可能な状態でＬＡＮ（Ｌｏｃａｌ  Ａｒｅａ  Ｎｅｔｗｏｒｋ）１１に接続されている。
【００２０】
図２は、プリンタ２０の構成を示すブロック図である。
【００２１】
図２に示すように、プリンタ２０は、装置全体を制御する制御部２１と、種々の情報を記憶する記憶部２２と、印刷ジョブを印刷する印刷部２３と、ホストコンピュータ３０などの外部の装置とＬＡＮ１１を介して通信を行うための通信部２４とを備えている。
【００２２】
制御部２１は、例えば、ＣＰＵ（Ｃｅｎｔｒａｌ  Ｐｒｏｃｅｓｓｉｎｇ  Ｕｎｉｔ）と、プログラムおよび各種のデータを予め記憶している不揮発性のメモリであるＲＯＭ(Ｒｅａｄ  Ｏｎｌｙ  Ｍｅｍｏｒｙ)と、ＣＰＵの作業領域として用いられる揮発性のメモリであるＲＡＭ(Ｒａｎｄｏｍ  Ａｃｃｅｓｓ  Ｍｅｍｏｒｙ)となどから構成されている。ＣＰＵは、ＲＯＭに記憶されているプログラムを実行することによって制御部２１を動作させる演算処理装置である。ＲＡＭは、ＣＰＵによってプログラムが実行されるときにプログラムや各種のデータを一時的に記憶するようになっている。
【００２３】
記憶部２２は、制御部２１の一部を構成している上述したＲＡＭによって構成されている。
【００２４】
印刷部２３は、ホストコンピュータ３０からの印刷データの印刷ジョブを印刷する印刷デバイスである。
【００２５】
通信部２４は、印刷部２３によって印刷されるための印刷データをＬＡＮ１１を介して外部のホストコンピュータ３０から受信する。
【００２６】
図３は、ホストコンピュータ３０の構成を示すブロック図である。
【００２７】
図３に示すように、ホストコンピュータ３０は、装置全体を制御する制御部３１と、種々の情報を記憶する記憶部３２と、利用者によって種々の操作が入力される操作部３３と、種々の情報を表示するモニタ３４と、プリンタ２０とＬＡＮ１１を介して通信を行うための通信部３５とを備えている。
【００２８】
制御部３１は、例えば、ＣＰＵと、プログラムおよび各種のデータを予め記憶している不揮発性のメモリであるＲＯＭと、プログラムおよび各種のデータを記憶する書き換え可能な不揮発性のメモリであるＨＤＤ（Ｈａｒｄ  Ｄｉｓｋ  Ｄｒｉｖｅ）と、ＣＰＵの作業領域として用いられる揮発性のメモリであるＲＡＭとなどから構成されている。ＣＰＵは、ＲＯＭやＨＤＤに記憶されているプログラムを実行することによって制御部３１を動作させる演算処理装置である。ＲＡＭは、ＣＰＵによってプログラムが実行されるときにプログラムや各種のデータを一時的に記憶するようになっている。
【００２９】
記憶部３２は、制御部３１の一部を構成している上述したＨＤＤやＲＡＭによって構成されている。
【００３０】
操作部３３は、キーボードやマウスなどの入力デバイスから構成されている。
【００３１】
モニタ３４は、例えばＬＣＤ（Ｌｉｑｕｉｄ  Ｃｒｙｓｔａｌ  Ｄｉｓｐｌａｙ）などの表示デバイスから構成されている。
【００３２】
通信部３５は、例えば、プリンタ２０の印刷部２３によって印刷されるための印刷データをＬＡＮ１１を介してプリンタ２０に送信する。
【００３３】
図４（ａ）は、プリンタ２０の状態に応じたプリンタ２０のウォームアップまでの消費電力量の情報である消費電力量情報を示す図である。図４（ｂ）は、印刷ジョブの処理内容に応じたプリンタ２０の１枚あたりの印刷の消費電力量情報を示す図である。図４（ｃ）は、印刷ジョブの処理内容に応じたプリンタ２０の後処理の消費電力量情報を示す図である。
【００３４】
ホストコンピュータ３０の記憶部３２には、図４に示す消費電力量情報がプリンタ２０毎に記憶されており、本発明の消費電力量記憶手段を構成している。消費電力量情報は、例えばプリンタ２０の製造業者によって与えられた情報が予め記憶部３２に記憶されるようになっていても良いし、ホストコンピュータ３０に接続されているプリンタ２０自身から個別に受信するようになっていても良い。なお、図４における消費電力量のａ〜ｋ、ｘ、ｙは、実際には具体的な数値である。
【００３５】
次に、省エネ印刷システム１０の動作について説明する。
【００３６】
プリンタ２０の制御部２１は、プリンタ２０が起動している間、所定のタイミングで、プリンタ２０自身の状態を通信部２４によってホストコンピュータ３０に通知し続ける。このタイミングは、一定周期でも良いし、プリンタ２０の状態に変化があったときでも良い。ここで、プリンタ２０の状態とは、印刷中、待機中、スリープ中などのプリンタ２０の印刷状態や、定着温度などのプリンタ２０の構成装置の状態など、印刷ジョブの実行に関して消費電力量に影響がある状態のことである。なお、プリンタ２０の制御部２１は、印刷状態が待機中のときには、図示していないセンサによって計測した定着温度をホストコンピュータ３０に通知するが、印刷状態がスリープ中のときには、センサが止まっているためスリープ状態に移行してからの時間によって算出した定着温度をホストコンピュータ３０に通知する。
【００３７】
ホストコンピュータ３０の制御部３１は、プリンタ２０の状態をプリンタ２０から通信部３５によって受信すると、受信したプリンタ２０の状態をプリンタ２０毎に記憶部３２に記憶させる。したがって、記憶部３２には、複数のプリンタ２０の状態が更新され続ける。
【００３８】
利用者は、ホストコンピュータ３０の操作部３３を操作することによって、印刷データの印刷をホストコンピュータ３０の制御部３１に指示することができる。
【００３９】
図５は、利用者から印刷データの印刷が指示されたときのホストコンピュータ３０の動作のフローチャートである。
【００４０】
図５に示すように、ホストコンピュータ３０の制御部３１は、印刷データの印刷が利用者から指示されると、印刷データの印刷ジョブを生成する（Ｓ５１）。
【００４１】
次いで、制御部３１は、記憶部３２に記憶されているプリンタ２０の状態と、Ｓ５１において生成した印刷ジョブの処理内容と、記憶部３２にプリンタ２０毎に記憶されている図４に示す消費電力量情報とに基づいて、プリンタ２０が印刷ジョブを実行するときのプリンタ２０の総消費電力量をプリンタ２０毎に算出する（Ｓ５２）。このように、制御部３１は、本発明の総消費電力量算出手段を構成している。
【００４２】
例えば、制御部３１は、記憶部３２に記憶されているプリンタ２０の状態のうち印刷状態が「印刷中」であるとき、プリンタ２０のウォームアップまでの消費電力量を図４（ａ）に示す情報に基づいて「ａＷｈ」と判断し、記憶部３２に記憶されているプリンタ２０の状態のうち印刷状態が「印刷中」ではなく定着温度が「ｘ℃以上」であるとき、プリンタ２０のウォームアップまでの消費電力量を図４（ａ）に示す情報に基づいて「ｂＷｈ」と判断し、記憶部３２に記憶されているプリンタ２０の状態のうち印刷状態が「印刷中」ではなく定着温度が「ｙ℃以上ｘ℃未満」であるとき、プリンタ２０のウォームアップまでの消費電力量を図４（ａ）に示す情報に基づいて「ｃＷｈ」と判断し、記憶部３２に記憶されているプリンタ２０の状態のうち印刷状態が「印刷中」ではなく定着温度が「ｙ℃未満」であるとき、プリンタ２０のウォームアップまでの消費電力量を図４（ａ）に示す情報に基づいて「ｄＷｈ」と判断する。
【００４３】
また、制御部３１は、Ｓ５１において生成した印刷ジョブの処理内容が「モノクロ印刷」かつ「片面印刷」であるとき、プリンタ２０の１枚あたりの印刷の消費電力量を図４（ｂ）に示す情報に基づいて「ｅＷｈ」と判断し、Ｓ５１において生成した印刷ジョブの処理内容が「カラー印刷」かつ「片面印刷」であるとき、プリンタ２０の１枚あたりの印刷の消費電力量を図４（ｂ）に示す情報に基づいて「ｆＷｈ」と判断し、Ｓ５１において生成した印刷ジョブの処理内容が「モノクロ印刷」かつ「両面印刷」であるとき、プリンタ２０の１枚あたりの印刷の消費電力量を図４（ｂ）に示す情報に基づいて「ｇＷｈ」と判断し、Ｓ５１において生成した印刷ジョブの処理内容が「カラー印刷」かつ「両面印刷」であるとき、プリンタ２０の１枚あたりの印刷の消費電力量を図４（ｂ）に示す情報に基づいて「ｈＷｈ」と判断する。
【００４４】
また、制御部３１は、Ｓ５１において生成した印刷ジョブの処理内容のうち後処理が「穴あけ」であるとき、プリンタ２０の後処理の消費電力量を図４（ｃ）に示す情報に基づいて「ｉＷｈ」と判断し、Ｓ５１において生成した印刷ジョブの処理内容のうち後処理が「紙とじ」であるとき、プリンタ２０の後処理の消費電力量を図４（ｃ）に示す情報に基づいて「ｊＷｈ」と判断し、Ｓ５１において生成した印刷ジョブの処理内容のうち後処理が「折り」であるとき、プリンタ２０の後処理の消費電力量を図４（ｃ）に示す情報に基づいて「ｋＷｈ」と判断し、Ｓ５１において生成した印刷ジョブの処理内容のうち後処理が「なし」であるとき、図４（ｃ）に示す情報に後処理が「なし」であるときの消費電力量が含まれていないので、プリンタ２０の後処理の消費電力量を「０Ｗｈ」と判断する。
【００４５】
そして、制御部３１は、プリンタ２０の１枚あたりの印刷の消費電力量と、Ｓ５１において生成した印刷ジョブの印刷枚数との積と、プリンタ２０のウォームアップまでの消費電力量と、プリンタ２０の後処理の消費電力量との和を算出することによって、プリンタ２０が印刷ジョブを実行するときのプリンタ２０の総消費電力量を算出する。
【００４６】
制御部３１は、プリンタ２０が印刷ジョブを実行するときのプリンタ２０の総消費電力量をＳ５２においてプリンタ２０毎に算出すると、Ｓ５２においてプリンタ２０毎に算出した総消費電力量に基づいて、総消費電力量が最も少ないプリンタ２０を選択する（Ｓ５３）。このように、制御部３１は、本発明の印刷装置選択手段を構成している。
【００４７】
例えば、複数のプリンタ２０のうち大型のプリンタ２０は、小型のプリンタ２０と比較して、総消費電力量が多い傾向にあり、通常は小型のプリンタ２０が選択される傾向にある。しかしながら、各プリンタ２０の性能や印刷ジョブの印刷枚数などによっては、大型のプリンタ２０の総消費電力量が小型のプリンタ２０の総消費電力量と比較して少なくなる場合もあり得る。そのような場合には大型のプリンタ２０が選択される。
【００４８】
制御部３１は、総消費電力量が最も少ないプリンタ２０をＳ５３において選択すると、Ｓ５３において選択したプリンタ２０に印刷ジョブの実行を指示する（Ｓ５４）。つまり、制御部３１は、Ｓ５１において生成した印刷ジョブを、Ｓ５３において選択したプリンタ２０に通信部３５によって送信する。プリンタ２０の制御部２１は、印刷ジョブをホストコンピュータ３０から通信部２４によって受信すると、受信した印刷ジョブを記憶部２２に記憶させ、印刷部２３に印刷させる。このように、制御部３１は、本発明の印刷ジョブ実行手段を構成している。
【００４９】
最後に、制御部３１は、Ｓ５４において印刷ジョブを実行させたプリンタ２０を利用者に通知して（Ｓ５５）、図５に示す処理を終了する。ここで、利用者への通知方法としては、モニタ３４への表示に限らない。例えば、制御部３１は、利用者に電子メールを送信することによって通知することもできる。このように、制御部３１は、本発明の印刷装置通知手段を構成している。
【００５０】
なお、ホストコンピュータ３０は、接続されているプリンタ２０の全てを選択対象にする必要はなく、特定のプリンタ２０のみを選択対象にするように設定されることもできる。例えば、複数階に分かれているオフィスの場合、ホストコンピュータ３０が存在する階に存在するプリンタ２０のみを選択対象にするように設定されることもできる。
【００５１】
以上に説明したように、ホストコンピュータ３０は、算出したプリンタ２０毎の総消費電力量に基づいて複数のプリンタ２０のうち総消費電力量が最も少ないプリンタ２０を選択し（Ｓ５３）、選択したプリンタ２０に印刷ジョブを実行させる（Ｓ５４）ので、複数のプリンタ２０のうち消費電力量が最も少ないプリンタ２０を自動的に選択して省エネ印刷を実行することができる。
【００５２】
ここで、ホストコンピュータ３０は、複数のプリンタ２０のうち消費電力量が最も少ないプリンタ２０を自動的に選択して省エネ印刷を実行するので、印刷ジョブを実行した結果である印刷物が何れのプリンタ２０で出力されるかを利用者に予想させ難い。しかしながら、ホストコンピュータ３０は、印刷ジョブを実行させたプリンタ２０を利用者に通知する（Ｓ５５）ので、印刷ジョブを実行した結果である印刷物を利用者に容易に発見させることができる。
【００５３】
なお、本発明の印刷装置は、本実施の形態においてプリンタであるが、コピー機、ファクシミリ機、複合機などのプリンタ以外の印刷装置であっても良い。
【００５４】
また、以上においては、ホストコンピュータ３０からの印刷データの印刷ジョブについて説明したが、コピーができる場合にはコピーの印刷ジョブ、ＦＡＸの受信ができる場合にはＦＡＸによって受信した画像データを印刷するための印刷ジョブなど、他の印刷ジョブについても同様である。
【００５５】
また、本発明の省エネ印刷実行装置および本発明のコンピュータは、本実施の形態においてホストコンピュータ３０であるが、他の装置であっても良い。例えば、印刷ジョブを生成するホストコンピュータ３０とは別に設けられたサーバコンピュータが本発明の省エネ印刷実行装置および本発明のコンピュータであっても良い。つまり、ホストコンピュータ３０によって生成された印刷ジョブがサーバコンピュータに送信され、サーバコンピュータによって最適なプリンタ２０が選択されるようになっていても良い。この場合、最適なプリンタ２０への印刷ジョブの送信元は、サーバコンピュータであっても良いし、サーバコンピュータから最適なプリンタ２０を返信されたホストコンピュータ３０であっても良い。また、複数のプリンタ２０の何れかが本発明の省エネ印刷実行装置および本発明のコンピュータであっても良い。つまり、ホストコンピュータ３０によって生成された印刷ジョブが本発明の省エネ印刷実行装置および本発明のコンピュータでもあるプリンタ２０に一旦送信され、そのプリンタ２０によって最適なプリンタ２０が選択されるようになっていても良い。
【符号の説明】
【００５６】
１０  省エネ印刷システム
２０  プリンタ（印刷装置）
３０  ホストコンピュータ（省エネ印刷実行装置、コンピュータ）
３１  制御部（総消費電力量算出手段、印刷装置選択手段、印刷ジョブ実行手段、印刷装置通知手段）
３２  記憶部（消費電力量記憶手段）
【図１】
2011129058.tif 000003
【図２】
2011129058.tif 000004
【図３】
2011129058.tif 000005
【図４】
2011129058.tif 000006
【図５】
2011129058.tif 000007